(57)【要約】【課題】  取り出し可能な記録媒体に高速でデジタル放送の番組を記録することが可能な動画像録画再生装置及び動画像録画方法の提供。【解決手段】  動画像録画再生装置は、入力手段と、選出手段と、録画手段と、デコーダ３と、スケーラ４と、エンコーダ５と、記録手段とを備える。録画手段が選出手段により選出されたパケットより得られる動画像ストリームデータをハードディスク６に記録する。デコーダ３が選出手段により選出されたパケットより得られる動画像ストリームデータを復号する。スケーラ４がデコーダ３により復号した動画像の解像度を変換する。エンコーダ５がスケーラ４により解像度を変換した動画像ストリームデータを符号化圧縮する。記録手段がエンコーダ５により圧縮した符号化データをハードディスク６に記録する。【選択図】        図１
2007110328.tif 000002
【特許請求の範囲】
【請求項１】
パケット多重化された動画像符号化データを含むストリームデータを入力する入力手段と、前記入力手段により入力されるストリームデータのすべてのパケットの中から特定の識別コードをもつパケットのみを選出する選出手段と、前記選出手段により選出されたパケットより得られる動画像ストリームデータを記録媒体に記録する録画手段と、前記選出手段により選出されたパケットより得られる動画像ストリームデータを復号する復号手段と、前記復号手段により復号した動画像の解像度を変換する変換手段と、前記変換手段により解像度を変換した動画像ストリームデータを符号化圧縮する符号化圧縮手段と、前記符号化圧縮手段により圧縮した符号化データを前記記録媒体に記録する記録手段とを備えたことを特徴とする動画像録画再生装置。
【請求項２】
上記記録媒体に記録された符号化データを読み出す読み出し手段と、前記読み出し手段により前記記録媒体から読み出した符号化データを取り出し可能な記録媒体へ書き込む書き込み手段とを備えている請求項１に記載の動画像録画再生装置。
【請求項３】
入力されるパケット多重化された動画像符号化データを含むストリームデータのすべてのパケットの中から特定の識別コードをもつパケットのみを選出するステップと、前記選出するステップにおいて選出されたパケットより得られる動画像ストリームデータを復号するステップと、前記復号するステップにおいて復号した動画像の解像度を変換するステップと、前記変換するステップにおいて解像度を変換した動画像ストリームデータを符号化圧縮するステップと、前記符号化圧縮するステップにおいて圧縮した符号化データを第１の記録媒体に記録するステップと、前記記録するステップにおいて前記第１の記録媒体に記録された符号化データを読み出すステップと、前記読み出すステップにおいて前記第１の記録媒体から読み出した符号化データを第２の記録媒体へ書き込むステップとを含むことを特徴とする動画像録画方法。
【発明の詳細な説明】
【技術分野】
【０００１】
この発明は、例えば、ＭＰＥＧ（Ｍｏｖｉｎｇ  Ｐｉｃｔｕｒｅ  Ｅｘｐｅｒｔｓ  Ｇｒｏｕｐ）２−ＴＳ（Ｔｒａｎｓｐｏｒｔ  Ｓｔｒｅａｍ；トランスポートストリーム）データとして送信される動画像データをハードディスクなどの蓄積メディアである記録媒体に記録し、さらにハードディスクなどの蓄積メディアから光磁気ディスクなどの保存用蓄積メディアである取り出し可能な記録媒体に転送する動画像録画再生装置及び動画像録画方法に係り、特に、ハードディスクから光磁気ディスクへの高速転送を実現する動画像録画再生装置及び動画像録画方法に関する。
【背景技術】
【０００２】
従来のアナログテレビ放送に代わって、ＢＳ（Ｂｒｏａｄｃａｓｔｉｎｇ  Ｓａｔｅｌｌｉｔｅ；放送衛星）デジタル放送、ＣＳ（Ｃｏｍｍｕｎｉｃａｔｉｏｎｓ  Ｓａｔｅｌｌｉｔｅ；通信衛星）デジタル放送、地上波デジタル放送などのデジタル放送が普及しつつある。
【０００３】
デジタル放送は、ＭＰＥＧ２で代表される動画像音声圧縮方式で転送されている。
動画像は、連続する多数のフレームから構成されており、フレームは、画素と呼ばれる明るさ，色の情報を縦と横に２次元的に並べたデータから成り立っている。
【０００４】
ＭＰＥＧ２では、フレーム間の動き予測，ＤＣＴ（Ｄｉｓｃｒｅｔｅ  Ｃｏｓｉｎｅ  Ｔｒａｎｓｆｏｒｍ）変換，量子化，可変長符号化などの技術を用いて、画素情報をそのまま転送するよりも数十分の一に圧縮して転送している。
データを圧縮する作業のことをエンコードと呼ぶ。
【０００５】
放送の受信機では、圧縮したデータを再び、画素情報に戻す作業が必要である。
この作業のことをデコードと呼ぶ。
【０００６】
動画像録画再生装置も、従来、ＶＴＲ（Ｖｉｄｅｏ  Ｔａｐｅ  Ｒｅｃｏｒｄｅｒ）に代表されるアナログ方式からＤＶＤ（Ｄｉｇｉｔａｌ  Ｖｅｒｓａｔｉｌｅ  Ｄｉｓｋ）やハードディスク記録に代表される媒体に変わり、記録方式もＭＰＥＧ２を代表とするデジタル方式になってきている。
【０００７】
アナログ放送の録画・再生では、記録媒体への記録の際に、信号の変調を行い、それに伴って、周波数特性が悪くなったり、アナログ回路のノイズが加わり、画質や音質は、受信画像音声をそのまま視聴するのと比較して、劣化していた。
【０００８】
しかし、デジタル放送とデジタル録画再生機器の組み合わせでは、画質劣化のないデジタル放送の録画・再生も可能になっている。
【０００９】
その概要について説明する。
ＭＰＥＧ２形式のデジタル放送は、トランスポートストリームと呼ばれるパケット形式の信号で送られてくる。
【００１０】
トランスポートストリームには、様々な情報が重畳されてくる。
それは、例えば、動画像の符号化信号や、音声の符号化信号だけではなく、字幕，データ放送の符号化データなどである。
また、送られているパケットの内容を示したり、番組のフォーマットなどの情報も含まれている。
【００１１】
図８は、トランスポートストリームの概念図である。
トランスポートストリームは、図８に示すように、複数のパケットから構成されている。
パケットは、パケットヘッダとペイロードから構成される。
【００１２】
パケットヘッダには、パケットを識別するためのＰＩＤ（Ｐａｃｋｅｔ  Ｉｄｅｎｔｉｆｉｃａｔｉｏｎ；パケット識別子）と呼ばれる識別番号が入っている。
また、パケットヘッダには、ペイロードを認識するために必要な情報が入っている。
【００１３】
ペイロードには、ビデオ符号化データや、オーディオ符号化データや、番組情報などが入っている。
【００１４】
パケットは、１８８バイト程度の小さなデータの単位なので、通常は、同一ＰＩＤのパケットのデータを順次取り込み一定のデータが蓄積して、デコードして行くことによって、動画像や音声が復号できる。
【００１５】
図９は、デジタル放送を復元する時のパケットの振り分けを示す概念図である。
通常、デジタル放送を復元する時は、ＰＩＤに応じて、例えば、図９に示すように、ビデオ信号の含まれているビデオパケットであればビデオデコーダに、オーディオ信号が含まれているオーディオパケットであればオーディオデコーダに、番組情報，字幕データなどのデータ放送信号が含まれているデータ放送パケットであればデータ放送デコーダにというように振り分け、動画像データ，音声データ及びデータ放送データをそれぞれデコード（復号）し、動画像，音声及び必要な付随する情報をテレビへ送り、動画像をテレビ画面に表示し、音声をスピーカーから出力する。
【００１６】
トランスポートストリームは、符号化データのパケット群であるので、デジタル情報を記録するハードディスクなどの記録媒体への記録も容易である。
【００１７】
ハードディスクなどの記録媒体にトランスポートストリームを記録する場合は、トランスポートストリームに含まれている符号化情報をハードディスクに記録する。
【００１８】
ハードディスクなどの記録媒体にすべてのパケットを記録しても良いが、記録媒体の容量は通常限られているので、必要なパケットだけを選択してハードディスクに記録する方が効率も良い。
【００１９】
必要なパケットだけを抽出し、制御用のパケットを追加したストリームをパーシャルトランスポートストリーム（以下、パーシャルＴＳと略す）と呼ぶ。
【００２０】
パケットをハードディスクなどの記録媒体に記録して再生する時には、記録した間隔と同じ間隔でパケットを再生することが要求される。
これは、トランスポートストリームでは、規定のタイミングでパケットが送出されることにより、デコードや出力の時間を正確に把握し、ビデオやオーディオなどのデータのバッファがアンダーフローやオーバーフローを起こさない仕組みになっているからである。
【００２１】
パケットの記録する間隔とパケットの再生する間隔を維持するために、例えば、記録時に、パケットに時間情報を付加し、再生時には、付加した時間情報に基づいてパケットの送出タイミングを決定するなどの手法が用いられる。
【００２２】
このようにして、記録，再生したパーシャルＴＳでは、デジタル放送で受信したトランスポートストリームと、動画像や音声情報は、全く同一にすることができるので、従来のアナログ放送の録画・再生と違って、録画・再生による画質や音質の劣化がないことが特徴である。
【００２３】
デジタル放送の技術は、日々進歩しており、デジタル放送はより解像度が高いハイビジョン放送が普及しつつある。
ハイビジョン放送では、従来、動画像のフレームを構成する画素の数が、７４０＊４８０程度であったのに対して、１９２０＊１０８０のサイズまで大きくなっており、大型のスクリーンでの視聴でも高画質を楽しめるようになっている。
【００２４】
また、ハードディスクや光磁気ディスクは、より高速で大容量になりつつある。
特に、ハードディスクは、光磁気ディスクに比べて大容量で安価なため、録画する記録媒体として急速に普及している。
【００２５】
一方で、取り外し交換を前提にしていない、ハードディスクは、容量が大きくても、録画する内容が増える一方だとやがては満杯になる問題がある。
そのため、多くの動画像録画再生機器は、録画する記録媒体としてハードディスクのみならず、光磁気ディスクドライブも搭載されており、ハードディスクに記録した番組を光磁気ディスクに転送して保存できるようになっている。
【００２６】
また、光磁気ディスクなどの取り出し可能な記録媒体も、大容量化が進んでいるが、一方では、他の再生機器、例えば、ＤＶＤプレーヤーとの互換を保ったり、安価な記録媒体であることより、ＤＶＤ−Ｒ（Ｄｉｇｉｔａｌ  Ｖｅｒｓａｔｉｌｅ  Ｄｉｓｋ−Ｒｅｃｏｒｄａｂｌｅ）と言った小さい容量の光磁気ディスクなどの記録媒体への記録も行うことがある。
【００２７】
ＤＶＤ−Ｒへの記録の時は、十分な記録時間と機器の互換を保つために、解像度や、ビットレート，圧縮時の符号化の規則，付加情報を加える必要があり、前記パーシャルＴＳを一旦デコードし、適正な符号化データとなるように再度エンコードすることが一般的である。
【００２８】
図７は、従来の動画像録画再生装置の一例を示すブロック図である。
動画像録画再生装置は、図７に示すように、デジタルチューナ１０２と、デコーダ１０３と、ハードディスク１０４と、スケーラ１０５と、エンコーダ１０６と、取り出し可能な光磁気ディスク１０７を装填された光磁気ディスクドライブ１０９とから構成されている。
【００２９】
図７において、１０１は、動画像録画再生装置のデジタルチューナ１０２に接続されたアンテナ、１０８は、動画像録画再生装置のデコーダ１０３に接続されたテレビである。
【００３０】
図７に示す従来の動画像録画再生装置においては、デジタル放送の番組の録画時、まず、デジタル放送の電波は、アンテナ１０１からデジタルチューナ１０２に取り込まれる。
【００３１】
デジタルチューナ１０２では、特定のチャンネルが選局され、そのトランスポートストリームがデコーダ１０３に供給される。
【００３２】
デコーダ１０３では、トランスポートストリームの中で、録画したいパケットだけを抽出し、パーシャルＴＳを生成し、生成したパーシャルＴＳをハードディスク１０４に記録する。
【００３３】
次に、ハードディスク１０４に録画したデジタル放送の番組を再生する時は、まず、あらかじめ録画したパーシャルＴＳをハードディスク１０４から読み出し、読み出したパーシャルＴＳを記録した時と同じ間隔でデコーダ１０３へ供給する。
【００３４】
デコーダ１０３では、パーシャルＴＳのパケットを適切に振り分け、動画像データ，音声データ及びデータ放送データをデコードして、動画像，音声及び必要な付随する情報をテレビ１０８へ出力する。
【００３５】
次に、ハードディスク１０４に録画したデジタル放送の番組を光磁気ディスク１０７に記録する時は、まず、ハードディスク１０４から、該当番組のパーシャルＴＳのパケットを所定の間隔で、デコーダ１０３に出力する。
【００３６】
デコーダ１０３では、パーシャルＴＳのパケットを適切に振り分け、動画像データ，音声データ及びデータ放送データをデコードして、動画像，音声及び必要な付随する情報をスケーラ１０５へ出力する。
【００３７】
スケーラ１０５では、動画像の解像度を適切に変換する。
スケーラ１０５は、例えば、ハイビジョン放送の１９２０＊１０８０画素のフレームを７２０＊４８０画素のフレームの標準解像度に変換し、エンコーダ１０６へ転送する。
【００３８】
エンコーダ１０６では、目標とする転送レートになるように、解像度を変換した動画像データや音声データ，データ放送データをエンコードし、エンコードしたストリームを光磁気ディスク１０７に記録する。
【００３９】
光磁気ディスク１０７への記録を高速にしようとするならば、ハードディスク１０４からのパーシャルＴＳの読み出しを所定の間隔よりも高速にし、デコーダ１０３，スケーラ１０５，エンコーダ１０６の処理を通常よりも早くし、エンコードしたストリームを光磁気ディスク１０７に記録すれば良い。
【００４０】
次に、光磁気ディスク１０７に記録したストリームを再生する時は、まず、記録したストリームを光磁気ディスク１０７から読み出し、読み出したストリームがデコーダ１０３へ供給される。
【００４１】
デコーダ１０３では、ストリームを復号して、デコーダ１０３で復号された動画像，音声及び必要な付随する情報がテレビ１０８へ供給される。
【発明の開示】
【発明が解決しようとする課題】
【００４２】
光磁気ディスクは、技術が向上し、デジタル放送の番組をより高速に記録できるようになってきている。
【００４３】
しかし、パーシャルＴＳのパケットをデコーダによりデコードして、動画像データ，音声データ及びデータ放送データをエンコーダによりエンコードする時間は、それに対して遅い。
【００４４】
従来の動画像録画再生装置では、ハードディスク１０４に録画したデジタル放送の番組を光磁気ディスク１０７に記録する時に、デコーダ１０３でパーシャルＴＳのパケットをデコードし、エンコーダ１０６で動画像データ，音声データ及びデータ放送データをエンコードするので、デジタル放送の番組の光磁気ディスク１０７への記録に一定の時間を要し、記録するデータのハードディスク１０４から光磁気ディスク１０７への高速の転送ができない。
【００４５】
そこで、本発明の目的は、上記の事情に鑑みてなされたものであって、デジタル放送の番組を記録媒体に記録する時に、デジタル放送の番組をパーシャルＴＳとして記録媒体に記録するばかりではなく、動画像ストリームデータを並列的にデコードし、再び、デコードした動画像ストリームデータを取り出し可能な記録媒体に適した解像度，ビットレートにエンコードし、エンコードしたストリームを圧縮した符号化データとして記録媒体に記録しておくことができ、圧縮した符号化データを記録媒体から取り出し可能な記録媒体に転送する時には、記録媒体からの圧縮した符号化データの読み出しと圧縮した符号化データの取り出し可能な記録媒体への書き込みだけを行うことによって、取り出し可能な記録媒体に高速でデジタル放送の番組を記録することが可能な動画像録画再生装置及び動画像録画方法を提供することにある。
【課題を解決するための手段】
【００４６】
本発明の動画像録画再生装置は、パケット多重化された動画像符号化データを含むストリームデータを入力する入力手段と、前記入力手段により入力されるストリームデータのすべてのパケットの中から特定の識別コードをもつパケットのみを選出する選出手段と、前記選出手段により選出されたパケットより得られる動画像ストリームデータを記録媒体に記録する録画手段と、前記選出手段により選出されたパケットより得られる動画像ストリームデータを復号する復号手段と、前記復号手段により復号した動画像の解像度を変換する変換手段と、前記変換手段により解像度を変換した動画像ストリームデータを符号化圧縮する符号化圧縮手段と、前記符号化圧縮手段により圧縮した符号化データを前記記録媒体に記録する記録手段とを備えたことを特徴とする構成を有するものである。
【００４７】
上記に記載の本発明によれば、デジタル放送の画質音質を劣化することなく録画・再生を行うのと同時に、取り出し可能な記録媒体（光磁気ディスク）の記録に適した解像度，ビットレートでエンコードしたストリームを記録媒体（ハードディスク）に蓄積することができる。
【００４８】
本発明の動画像録画再生装置は、上記記録媒体に記録された符号化データを読み出す読み出し手段と、前記読み出し手段により前記記録媒体から読み出した符号化データを取り出し可能な記録媒体へ書き込む書き込み手段とを備えている。
【００４９】
上記に記載の本発明によれば、取り出し可能な記録媒体（光磁気ディスク）の記録に適した解像度，ビットレートでエンコードしたストリームを圧縮した符号化データとしてあらかじめ記録媒体（ハードディスク）に蓄積しておくことにより、圧縮した符号化データの取り出し可能な記録媒体への書き込みをデコード，エンコードの遅い処理を介することなくできるので、デジタル放送の番組の記録媒体から取り出し可能な記録媒体への記録が高速になる。
【００５０】
本発明の動画像録画方法は、入力されるパケット多重化された動画像符号化データを含むストリームデータのすべてのパケットの中から特定の識別コードをもつパケットのみを選出するステップと、前記選出するステップにおいて選出されたパケットより得られる動画像ストリームデータを復号するステップと、前記復号するステップにおいて復号した動画像の解像度を変換するステップと、前記変換するステップにおいて解像度を変換した動画像ストリームデータを符号化圧縮するステップと、前記符号化圧縮するステップにおいて圧縮した符号化データを第１の記録媒体に記録するステップと、前記記録するステップにおいて前記第１の記録媒体に記録された圧縮した符号化データを読み出すステップと、前記読み出すステップにおいて前記第１の記録媒体から読み出された圧縮した符号化データを第２の記録媒体へ書き込むステップとを含むことを特徴とするものである。
【発明の効果】
【００５１】
以上に述べたように、本発明によれば、デジタル放送の番組を記録媒体に記録する時に、デジタル放送の番組をパーシャルＴＳとして記録媒体に記録するばかりではなく、動画像ストリームデータを並列的にデコードし、再び、デコードした動画像ストリームデータを取り出し可能な記録媒体に適した解像度，ビットレートにエンコードし、エンコードしたストリームを圧縮した符号化データとして記録媒体に記録しておくことができ、圧縮した符号化データを記録媒体から取り出し可能な記録媒体に転送する時には、記録媒体からの圧縮した符号化データの読み出しと圧縮した符号化データの取り出し可能な記録媒体への書き込みだけを行うことによって、取り出し可能な記録媒体に高速でデジタル放送の番組を記録することが可能な動画像録画再生装置及び動画像録画方法を得ることができる。
【発明を実施するための最良の形態】
【００５２】
以下、本発明を実施するための最良の形態を図面を参照して詳細に説明する。
【実施例】
【００５３】
本発明の動画像録画再生装置は、パケット多重化された動画像符号化データを含むストリームデータを入力する入力手段と、入力手段により入力されるストリームデータのすべてのパケットの中から特定の識別コードをもつパケットのみを選出する選出手段と、選出手段により選出されたパケットより得られる動画像ストリームデータを記録媒体であるハードディスク６に記録する録画手段と、選出手段により選出されたパケットより得られる動画像ストリームデータを復号する復号手段であるデコーダ３と、デコーダ３により復号した動画像の解像度を変換する変換手段であるスケーラ４と、スケーラ４により解像度を変換した動画像ストリームデータを符号化圧縮する符号化圧縮手段であるエンコーダ５と、エンコーダ５により圧縮した符号化データをハードディスク６に記録する記録手段とを備えている。
【００５４】
本発明の動画像録画再生装置は、ハードディスク６に記録された符号化データを読み出す読み出し手段と、読み出し手段によりハードディスク６から読み出した符号化データを取り出し可能な記録媒体である光磁気ディスク７へ書き込む書き込み手段とを備えている。
【００５５】
本発明の動画像録画方法は、入力されるパケット多重化された動画像符号化データを含むストリームデータのすべてのパケットの中から特定の識別コードをもつパケットのみを選出するステップと、選出するステップにおいて選出されたパケットより得られる動画像ストリームデータを復号するステップと、前記復号するステップにおいて復号した動画像の解像度を変換するステップと、変換するステップにおいて解像度を変換した動画像ストリームデータを符号化圧縮するステップと、符号化圧縮するステップにおいて圧縮した符号化データを第１の記録媒体であるハードディスク６に記録するステップと、記録するステップにおいてハードディスク６に記録された符号化データを読み出すステップと、読み出すステップにおいてハードディスク６から読み出した符号化データを第２の記録媒体である光磁気ディスク７０へ書き込むステップとを含んでいる。
【００５６】
図１は、本発明の実施例に係る動画像録画再生装置の構成を示すブロック図である。
図１において、１はアンテナ、２はデジタルチューナ、３はデコーダ、４はスケーラ、５はエンコーダ、６はハードディスク、９は光磁気ディスクドライブ、８はテレビである。
【００５７】
動画像録画再生装置は、図１に示すように、デジタルチューナ２と、デコーダ３と、スケーラ４と、エンコーダ５と、ハードディスク６と、取り出し可能な光磁気ディスク７を装填した光磁気ディスクドライブ９とから構成されている。
【００５８】
動画像録画再生装置のデジタルチューナ２には、アンテナ１が接続されている。
【００５９】
動画像録画再生装置のデコーダ３には、テレビ８が接続されている。
【００６０】
アンテナ１は、デジタル放送の電波を受信する。
【００６１】
デジタルチューナ２は、特定のトランスポートストリームを選局する。
【００６２】
デコーダ３は、トランスポートストリームの中で記録したパケットだけを選択し、選択したパケットより得られる動画像ストリームデータをデコードする。
【００６３】
スケーラ４は、復号した動画像の解像度を光磁気ディスク７に適した解像度に変換する。
【００６４】
エンコーダ５は、解像度を変換した動画像ストリームデータを符号化圧縮する。
【００６５】
ハードディスク６には、デジタル放送の番組がパーシャルＴＳとして記録され、これと平行してパーシャルＴＳを光磁気ディスク７に適した解像度，ビットレートでエンコードしたストリームが圧縮した符号化データとして記録される。
【００６６】
光磁気ディスク７には、ハードディスク６から圧縮した符号化データが転送され、圧縮した符号化データが書き込まれる。
【００６７】
本発明の動画像録画再生装置は、デジタル放送の番組をハードディスク６に記録する時に、デジタル放送の番組をパーシャルＴＳとしてハードディスク６に記録するばかりではなく、動画像ストリームデータを並列的にデコードし、再び、デコードした動画像ストリームデータを光磁気ディスク７に適した解像度，ビットレートにエンコードし、エンコードしたストリームを圧縮した符号化データとしてハードディスク６に記録しておき、圧縮した符号化データをハードディスク６から光磁気ディスク７に転送する時には、ハードディスク６からの圧縮した符号化データの読み出しと圧縮した符号化データの光磁気ディスク７への書き込みだけを行うことによって、光磁気ディスク７に高速でデジタル放送の番組を記録する。
【００６８】
図２は、本発明の実施例に係る動画像録画再生装置におけるデジタル放送受信時の動作を説明するブロック図である。
デジタル放送の受信時は、まず、アンテナ１から、デジタル放送の電波を受信し、受信したデジタル放送の電波をデジタルチューナ２へ供給する。
【００６９】
デジタルチューナ２では、特定のチャンネルを選局し、そのトランスポートストリームをデコーダ３へ供給する。
【００７０】
デコーダ３では、動画像データ，音声データ及びデータ放送データをデコードし、動画像，音声及び必要な付随する情報をテレビ８へ供給する。
【００７１】
図３は、本発明の実施例に係る動画像録画再生装置におけるデジタル放送通常録画時の動作を説明するブロック図である。
デジタル放送の通常録画時は、まず、アンテナ１から、デジタル放送の電波を受信し、受信したデジタル放送の電波をデジタルチューナ２へ供給する。
【００７２】
デジタルチューナ２では、特定のチャンネルを選局し、そのトランスポートストリームをデコーダ３に供給する。
【００７３】
デコーダ３では、トランスポートストリームの内、記録したいパケットだけを選択し、記録に必要なパケットを付加して、パーシャルＴＳを生成し、生成したパーシャルＴＳをハードディスク６へ記録する。
【００７４】
また、デコーダ３では、動画像データ，音声データ及びデータ放送データをデコードして、動画像，音声及び必要な付随する情報をテレビ８へ供給する。
【００７５】
図４は、本発明の実施例に係る動画像録画再生装置におけるデジタル放送再生時の動作を説明するブロック図である。
ハードディスク６に録画したデジタル放送の番組の再生は、まず、あらかじめ録画したパーシャルＴＳをハードディスク６から読出し、読み出したパーシャルＴＳを記録した時と同じ間隔でデコーダ３へ供給する。
【００７６】
デコーダ３では、パーシャルＴＳのパケットを適切に振り分け、動画像データ，音声データ及びデータ放送データをデコードして、動画像，音声及び必要な付随する情報をテレビ８へ供給する。
【００７７】
図５は、本発明の実施例に係る動画像録画再生装置におけるデジタル放送並列録画時の動作を説明するブロック図である。
デジタル放送の並列録画時は、まず、アンテナ１から、デジタル放送の電波を受信し、受信したデジタル放送の電波をデジタルチューナ２へ供給する。
【００７８】
デジタルチューナ２では、特定のチャンネルを選局し、そのトランスポートストリームをデコーダ３に供給する。
【００７９】
デコーダ３では、トランスポートストリームのうち、記録したいパケットだけを選択し、記録に必要なパケットを付加して、パーシャルＴＳを生成し、生成したパーシャルＴＳをハードディスク６へ記録する。
【００８０】
また、デコーダ３では、動画像データ，音声データ及びデータ放送データをデコードして、デコードした動画像データ，音声データ及びデータ放送データをスケーラ４へ出力する。
【００８１】
スケーラ４では、動画像の解像度を光磁気ディスク７に適した解像度に変換し、解像度を変換した動画像データと音声データ及びデータ放送データをエンコーダ５に供給する。
【００８２】
エンコーダ５では、光磁気ディスク７に適したビットレートで動画像データ，音声データ及びデータ放送データをエンコードし、エンコードしたストリームを圧縮した符号化データとしてハードディスク６に記録する。
【００８３】
さらに、デコーダ３では、動画像データ，音声データ及びデータ放送データをデコードして、動画像，音声及び必要な付随する情報をテレビ８へ供給する。
【００８４】
図６は、本発明の実施例に係る動画像録画再生装置における光磁気ディスク高速記録時の動作を説明するブロック図である。
ハードディスク６に録画したデジタル放送の番組の光磁気ディスク７への記録時は、ハードディスク６にデジタル放送の番組の録画時に生成した、光磁気ディスク７に適した形式で記録されたストリームをハードディスク６から読み出し、読み出したストリームをハードディスク６から光磁気ディスク７に転送し、転送したストリームを圧縮した符号化データとして光磁気ディスク７に書き込む。
【００８５】
この時の転送速度は、ハードディスク６の読み出しの速度と、光磁気ディスク７の速度のどちらか遅い方の速度に依存する。
【００８６】
一般的には、ハードディスク６の方が光磁気ディスク７よりも高速にアクセスが可能であり、その結果、光磁気ディスク７への圧縮した符号化データの書き込みは、光磁気ディスクドライブ９の性能に依存する。
【００８７】
光磁気ディスク７に記録したデジタル放送の番組の再生時は、まず、記録したストリームを光磁気ディスク７から読み出し、読み出したストリームをデコーダ３に供給する。
【００８８】
デコーダ３では、ストリームを復号して、デコーダ３で復号された動画像，音声及び必要な付随する情報をテレビ８へ供給する。
【００８９】
本発明の動画像録画再生装置では、デジタル放送の番組を光磁気ディスク７に記録する時に、動画像ストリームデータのデコーダ３，エンコーダ５によるデコード，エンコードが不要なため、光磁気ディスク７へのデジタル放送の番組の記録が高速に行える。
【図面の簡単な説明】
【００９０】
【図１】本発明の実施例に係る動画像録画再生装置の構成を示すブロック図。
【図２】本発明の実施例に係る動画像録画再生装置におけるデジタル放送受信時の動作を説明するブロック図。
【図３】本発明の実施例に係る動画像録画再生装置におけるデジタル放送通常録画時の動作を説明するブロック図。
【図４】本発明の実施例に係る動画像録画再生装置におけるデジタル放送再生時の動作を説明するブロック図。
【図５】本発明の実施例に係る動画像録画再生装置におけるデジタル放送並列録画時の動作を説明するブロック図。
【図６】本発明の実施例に係る動画像録画再生装置における光磁気ディスク高速記録時の動作を説明するブロック図。
【図７】従来の動画像録画再生装置の一例を示すブロック図。
【図８】トランスポートストリームの概念図。
【図９】デジタル放送を復元する時のパケットの振り分けを示す概念図。
【符号の説明】
【００９１】
１  アンテナ
２  デジタルチューナ
３  デコーダ（復号手段）
４  スケーラ（変換手段）
５  エンコーダ（符号化圧縮手段）
６  ハードディスク（記録媒体，第１の記録媒体）
７  光磁気ディスク（取り出し可能な記録媒体，第２の記録媒体）
８  テレビ
９  光磁気ディスクドライブ
１０１  アンテナ
１０２  デジタルチューナ
１０３  デコーダ
１０４  ハードディスク
１０５  スケーラ
１０６  エンコーダ
１０７  光磁気ディスク
１０８  テレビ
１０９  光磁気ディスクドライブ
【図１】
2007110328.tif 000003
【図２】
2007110328.tif 000004
【図３】
2007110328.tif 000005
【図４】
2007110328.tif 000006
【図５】
2007110328.tif 000007
【図６】
2007110328.tif 000008
【図７】
2007110328.tif 000009
【図８】
2007110328.tif 000010
【図９】
2007110328.tif 000011